(57)【要約】【課題】既設建物の天井パネルに対しスプリンクラー装置を容易かつ的確に取り付けることのできる技術を提供する。【解決手段】  固定構造４０は、天井パネル２０下側からの作業によりスプリンクラー装置３０を天井パネル２０に対して固定できるものであり、一対のレール２３，２４は、天井パネル２０の開口部２５上を横切って配置され、固定部材１０は、その少なくとも一部が開口部２５の上方に位置するように配置され、スプリンクラー装置３０は、固定部材１０の下側に配置されるスプリンクラーヘッド３０ｈと、スプリンクラーヘッド３０ｈに向かって固定部材１０に対して上下方向に延び且つ固定部材１０に固定されるスプリンクラー配管３０ｐとを有し、固定部材１０は、一対のレール２３，２４に対してレール２３，２４の長手方向に沿って摺動可能な状態で仮固定できることを特徴とする。【選択図】図２
2011067548.tif 000002
【特許請求の範囲】
【請求項１】
天井パネルを上方から保持する天井パネル保持部に対してスプリンクラー装置を固定するための固定部材であって、
前記天井パネル保持部に固定された一対のレールの間を橋渡しするように固定され、前記スプリンクラー装置を固定するための貫通孔若しくは切欠部と、前記天井パネルに対する前記貫通孔又は切欠部の高さ位置を調整するため前記一対のレールに対する固定高さを調整する高さ調整手段と、を備えたことを特徴とする固定部材。
【請求項２】
前記固定部材は、前記貫通穴若しくは切欠部を有するスプリンクラー装置固定面と、前記スプリンクラー装置固定面に垂直方向に互いに対向した状態で延設された第一側面及び第二側面と、前記一対のレールを保持するため前記第一側面及び前記第二側面にそれぞれ形成された複数対の保持部と、を有し、
複数対の前記保持部は、前記スプリンクラー装置固定面に対する高さが異なる少なくとも二対の保持部からなることを特徴とする請求項１記載の固定部材。
【請求項３】
請求項１または請求項２に記載の固定部材を使用し、天井パネル下側からの作業によりスプリンクラー装置を天井パネルに対して固定可能な固定構造であって、
前記一対のレールは、天井パネルに形成される開口部の上を横切って前記開口部の一方の側から他方の側に延びる方向に配置され、
前記固定部材は、その少なくとも一部が前記開口部の上方に位置するように配置され、
前記スプリンクラー装置は、前記固定部材の下側に配置されるスプリンクラーヘッドと、前記スプリンクラーヘッドに向かって前記固定部材に対して上下方向に延び且つ前記固定部材に固定されるスプリンクラー配管とを有し、
前記固定部材は、前記一対のレールに対して前記レールに沿って摺動可能な状態で仮固定できることを特徴とする固定構造。
【発明の詳細な説明】
【技術分野】
【０００１】
本発明は、建築物の火災予防のためのスプリンクラー装置を天井パネルに取り付ける技術に関する。
【背景技術】
【０００２】
スプリンクラー装置を天井パネルに固定する技術としては、従来、スプリンクラー用配管とスプリンクラーヘッドを天井躯体から吊り下げた後、天井パネルを取り付けるという工法が一般的である。この工法は、建物の新築現場における取付作業の場合は何ら支障なく施工することができるが、既設建物にスプリンクラー装置を設置する場合には、天井パネルを一旦剥がして取付作業を行う必要があり、多くの労力と時間を要するという問題があった。
【０００３】
そこで、このような問題を解決する方法として、既築建物の天井パネルに開口部を開設してスプリンクラー配管を行い、天井パネルを支える野縁にスプリンクラーヘッドを固定する固定具が提案されている（例えば、特許文献１参照。）。
【先行技術文献】
【特許文献】
【０００４】
【特許文献１】特許第４２２５３６７号公報
【発明の概要】
【発明が解決しようとする課題】
【０００５】
特許文献１記載の技術により一定の効果を得ることができるのであるが、既設建物の天井部分に配置された野縁には種々の大きさがあるため、特許文献１で提案されている固定具のみでは対応できないことがある。即ち、高さの異なる野縁に取り付けるには、高さに応じた部材を使用する必要がある。特に、既設建物に対する施工現場では、建物による相違だけでなく、同一建物内においても野縁高さが異なることがあり、現場に全ての野縁高さに対応した部材を準備するのは手間がかかっていた。
【０００６】
そこで、本発明が解決しようとする課題は、既設建物の天井パネルに対しスプリンクラー装置を容易かつ的確に取り付けることのできる技術を提供することにある。
【課題を解決するための手段】
【０００７】
本発明の固定部材は、天井パネルを上方から保持する天井パネル保持部に対してスプリンクラー装置を固定するための固定部材であって、
前記天井パネル保持部に固定された一対のレールの間を橋渡しするように固定され、前記スプリンクラー装置を固定するための貫通孔若しくは切欠部と、前記天井パネルに対する前記貫通孔又は切欠部の高さ位置を調整するため前記一対のレールに対する固定高さを調整する高さ調整手段と、を備えたことを特徴とする。
【０００８】
このような構成とすれば、スプリンクラー装置の天井パネルに対する高さ位置を決める貫通孔または切欠部の位置を高さ調整手段で調整した状態で、一対のレールに対して固定部材を固定することができるので、施工現場により、天井パネル保持部の高さに違いに起因する一対のレールの高さ位置が異なる状況があっても、高さ調整手段により、天井パネルに対するスプリンクラー装置の高さ位置を常に一定に設定することができる。
【０００９】
ここで、前記固定部材は、前記貫通穴若しくは切欠部を有するスプリンクラー装置固定面と、前記スプリンクラー装置固定面に垂直方向に互いに対向した状態で延設された第一側面及び第二側面と、前記一対のレールを保持するため前記第一側面及び前記第二側面にそれぞれ形成された複数対の保持部と、を有し、
複数対の前記保持部は、前記スプリンクラー装置固定面に対する高さが異なる少なくとも二対の保持部からなる構成とすることができる。
【００１０】
このような構成とすれば、スプリンクラー装置の固定位置を、少なくとも二種類の位置に設定することができるので、施工現場の状況に応じて、スプリンクラー装置の高さ調整を的確に行うことができる。
【００１１】
次に、本発明の固定構造は、前述した固定部材を使用し、天井パネル下側からの作業によりスプリンクラー装置を天井パネルに対して固定可能な固定構造であって、
前記一対のレールは、天井パネルに形成される開口部の上を横切って前記開口部の一方の側から他方の側に延びる方向に配置され、
前記固定部材は、その少なくとも一部が前記開口部の上方に位置するように配置され、
前記スプリンクラー装置は、前記固定部材の下側に配置されるスプリンクラーヘッドと、前記スプリンクラーヘッドに向かって前記固定部材に対して上下方向に延び且つ前記固定部材に固定されるスプリンクラー配管とを有し、
前記固定部材は、前記一対のレールに対して前記レールに沿って摺動可能な状態で仮固定できることを特徴とする。
【００１２】
このような構成とすれば、完成後の天井パネルに開設される開口部を利用して、天井パネルの下側からの作業のみにより、スプリンクラー装置を天井パネルに固定することができる。即ち、開口部の上方に位置し且つスプリンクラー装置が固定される固定部材は、その高さ位置を調整した状態で、且つ、レールに沿って摺動可能な状態で仮固定することができるので、天井パネル保持部の高さに対応した状態で一対のレールに仮固定された固定部材をレールに沿って摺動させ、開口部の周縁側へ移動させれば開口部内に手腕などを挿入可能な隙間が生じる結果、天井パネルの下側から開口部を経由して固定部材の上側へのアクセスが容易となり、天井パネル保持部の高さの違いに対応する高さ調整作業を容易に行うことができる。
【００１３】
これにより、固定部材の上側に位置する配管作業箇所における作業を、天井パネルの開口部から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。
【発明の効果】
【００１４】
本発明により、既設建物の天井パネルに対しスプリンクラー装置を容易かつ的確に取り付けることのできる技術を提供することができる。
【図面の簡単な説明】
【００１５】
【図１】本発明の実施形態である固定部材を示す斜視図である。
【図２】図１に示す固定部材を用いて形成した固定構造の斜視図である。
【図３】図１に示す固定部材の正面図である。
【図４】図１に示す固定部材の平面図である。
【図５】図１に示す固定部材の底面図である。
【図６】図１に示す固定部材の右側面図である。
【図７】図２に示す固定構造の平面図である。
【図８】図２における矢線Ａ方向から見た図である。
【図９】図２における矢線Ｂ方向から見た図である。
【図１０】図７のＣ−Ｃ線における断面図である。
【図１１】図９における矢線Ｄ方向から見た図である。
【図１２】図１に示す固定部材の使用状態を示す垂直断面図である。
【図１３】図１に示す固定部材の使用状態を示す垂直断面図である。
【発明を実施するための形態】
【００１６】
以下、図面に基づいて、本発明の実施形態であるスプリンクラー装置の固定部材及びスプリンクラー装置の固定構造について説明する。
【００１７】
図１，図２に示すように、固定部材１０は、天井パネル２０を上方から保持する天井パネル保持部２１，２２に対してスプリンクラー装置３０を固定するための部材であって、天井パネル保持部２１，２２上に、これらの天井パネル保持部２１，２２と立体交差するように固定された一対のレール２３，２４の間を橋渡しする状態に固定して使用されるものである。固定部材１０は、スプリンクラー装置３０を固定するための貫通孔１３と、天井パネル２０に対する貫通孔１３の高さ位置を調整するため一対のレール２３，２４に対する固定高さを調整する高さ調整手段１５ａ，１５ｂと、を備えている。
【００１８】
固定部材１０は、貫通孔１３を有するスプリンクラー装置固定面１４と、スプリンクラー装置固定面１４に垂直方向に互いに対向した状態で延設された第一側面１１及び第二側面１２と、前述した一対のレール２３，２４を保持するため第一側面１１及び第二側面１２にそれぞれ形成された複数対の保持部１ａ，１ｂ，２ａ，２ｂ，３ａ，３ｂ，４ａ，４ｂと、を有している。貫通孔１３の周縁には、スプリンクラー装置固定面１４の上面１４ａよりクレーター状に凹んだ凹縁部１４ｂが形成されている。
【００１９】
第一側面１１に形成された保持部１ａ，２ａ，３ａ，４ａによって高さ調整手段１５ａが構成され、第二側面１２に形成された保持部１ｂ，２ｂ，３ｂ，４ｂによって高さ調整手段１５ｂが構成されている。また、後述するように、保持部１ａ，２ａ、保持部３ａ，４ａ、保持部１ｂ，２ｂ及び保持部３ｂ，４ｂがそれぞれ対をなしている。
【００２０】
固定部材１０の素材や製造方法は限定しないが、本実施形態の固定部材１０は、図３〜図６に示すように、矩形状をした板材の中央に貫通孔１３を開設し、その両側部分に曲げ加工、スリット加工及び孔明け加工などを施すことによって第一側面１１及び第二側面１２や高さ調整手段１５ａ，１５ｂなどが形成されている。保持部１ａ，２ａ，３ａ，４ａは第一側面１１の上縁部１１ａから先の部分に長手方向ＬのスリットＳを３本設けることによって形成され、同様に保持部１ｂ，２ｂ，３ｂ，４ｂは、第二側面１２の上縁部１２ａから先の部分に長手方向ＬのスリットＳを３本設けることによって形成されている。
【００２１】
ここで、高さ調整手段１５ａを構成する保持部１ａ，２ａ，３ａ，４ａの形状について説明する。保持部１ａは、上縁部１１ａからスプリンクラー装置固定面１４と平行に延設された水平部１ｈと、水平部１ｈ先端から第一側面１１と平行方向に起立した垂直部１ｖと、垂直部１ｖ先端から水平部１ｈと平行方向に突設された突縁部１ｅと、を有し、水平部１ｈ及び突縁部１ｅにそれぞれ雌ネジ孔１ｓと貫通孔１ｔが開設されている。
【００２２】
保持部２ａは、上縁部１１ａから第一側面１１と平行方向に起立した垂直部２ｖと、垂直部２ｖの先端からスプリンクラー装置固定面１４と平行に延設された水平部２ｈと、を有している。保持部３ａは、上縁部１１ａから第一側面１１と平行方向に垂下した垂直部３ｖと、垂直部３ｖの先端からスプリンクラー装置固定面１４と平行に延設された水平部３ｈと、を有し、水平部３ｈに雌ネジ孔３ｓと貫通孔３ｔが長手方向Ｌに並んで開設されている。保持部４ａは、上縁部１１ａからスプリンクラー装置固定面１４と平行に延設された水平部４ｈと、水平部４ｈの先端から第一側面１１と平行に垂下した垂直部４ｖと、を有している。
【００２３】
図３に示すように、保持部１ａの水平部１ｈと保持部４ａの水平部４ｈとはスプリンクラー装置固定面１４から同じ高さに形成され、保持部２ａの水平部２ｈと保持部３ａの水平部３ｈとは、水平部１ｈ，４ｈの位置を境界に上下同じ距離を隔てた位置に形成されている。保持部１ａの水平部１ｈ及び垂直部１ｖと、保持部２ａの垂直部２ｖ及び水平部２ｈと、の間にレールを挟持可能な上位保持領域Ｈ１が形成され、また、保持部３ａの垂直部３ｖ及び水平部３ｈと保持部４ａの水平部４ｈ及び垂直部４ｖと、の間にレールを挟持可能な下位保持領域Ｈ２が形成されている。
【００２４】
一方、高さ調整手段１５ｂを構成する保持部１ｂ，２ｂ，３ｂ，４ｂの形状は、高さ調整手段１５ａを構成する保持部１ａ，２ａ，３ａ，４ａの形状と、一部を除いて、貫通孔１３の軸心１３ｃを中心に１８０度回転対称をなしている。即ち、保持部３ｂの長手方向Ｌの突出寸法は保持部３ａの長手方向Ｌの突出寸法より小さく、保持部３ｂには貫通孔３ｔがない点を除けば、保持部１ｂ，２ｂ，３ｂ，４ｂの形状と、保持部１ａ，２ａ，３ａ，４ａの形状と、は貫通孔１３の軸心１３ｃを中心に１８０度回転対称である。よって、高さ調整手段１５ｂを構成する保持部１ｂ，２ｂ，３ｂ，４ｂの各部分の形状については、高さ調整手段１５ａを構成する保持部１ａ，２ａ，３ａ，４ａの各部分と同じ符号を付して説明を省略する。
【００２５】
次に、図２，図７〜図１２に基づいて、図１，図３〜図６に示す固定部材１０を用いたスプリンクラー装置の固定構造について説明する。図２に示すように、本実施形態の固定構造４０は、天井パネル２０下側からの作業によりスプリンクラー装置３０を天井パネル２０に対して固定することができるものである。
【００２６】
図７〜図１１に示すように、天井パネル保持部２１，２２に固定された一対のレール２３，２４は、天井パネル２０に形成された円形の開口部２５の上を横切って開口部２５の一方の側から他方の側に延びる方向に配置されている。開口部２５は、ホールソーやカッターなどを用いて天井パネル２０の一部を円形に切り抜くことによって形成することができる。
【００２７】
天井パネル保持部２１，２２に対するレール２３，２４の固定手段は限定しないが、本実施形態では、天井パネル保持部２１，２２とレール２３，２４との交差部分にそれぞれＬ形断面を有する板状の固定具２６を介在させ、天井パネル２０の下側からのネジ締め作業により、天井パネル保持部２１，２２及びレール２３，２４と固定具２６とが複数のネジで固定されている。
【００２８】
固定部材１０は、その少なくとも一部が開口部２５の上方に位置するように配置され、スプリンクラー装置３０は、固定部材１０の下側に配置されるスプリンクラーヘッド３０ｈと、スプリンクラーヘッド３０ｈに向かって固定部材１０に対して上下方向に延び且つ固定部材１０に固定されるスプリンクラー配管３０ｐとを有し、固定部材１０は、一対のレール２３，２４に対してレール２３，２４の長手方向に沿って摺動可能な状態で仮固定することができる構成となっている。
【００２９】
即ち、レール２３，２４に固定部材１０を取り付けるとき、図３に示す固定部材１０の高さ調整手段１５ａ，１５ｂに形成される二つの上位保持領域Ｈ１にそれぞれレール２３，２４を挿通させた状態で、保持部１ａ，１ｂの水平部１ｈ，１ｈのネジ孔１ｓ，１ｓにそれぞれ螺着した雄ネジ２７を締め付ける前であれば、スプリンクラー装置３０が取り付けられた固定部材１０は、一対のレール２３，２４に対してレール２３，２４の長手方向に沿って摺動可能である。
【００３０】
従って、前記摺動可能な固定部材１０をレール２３，２４に沿って一方向へ摺動させることにより開口部２５の周縁側へ固定部材１０を移動させれば、開口部２５内に作業者の手腕などを挿入可能な隙間が生じる。これにより、天井パネル２０の下側から開口部２５を経由して固定部材１０の上側へのアクセスが容易となるため、固定部材１０の上側に位置する配管作業箇所における各種作業を天井パネル２０の開口部２５から行うことができる。その結果、スプリンクラー装置３０を、後付け工事にて取り付ける場合、天井パネル２０を必ずしも外す必要がなくなり、スプリンクラー装置３０の固定作業を、従来の固定装置よりも容易に行うことができる。
【００３１】
固定部材１０の上側に位置する配管作業箇所における各種作業が完了したら、固定部材１０をレール２３，２４に沿って前述と逆方向へ摺動させ、開口部２５の中心まで移動させた後、天井パネル２０の下側から開口部２５を経由して雄ネジ２７を締め付ければ、スプリンクラー装置３０とともに固定部材１０が所定位置に固定される。
【００３２】
この後、図１２に示すように、天井パネル２０に開口部２５を形成する際に天井パネル２０から切り抜かれた円板部材２５ａを嵌め込み、スプリンクラーヘッド３０ｈにヘッドカバー３０ｃを取り付け、円板部材２５ａと開口部２５との境界部を覆うリング状のパネル２８を装着すれば、スプリンクラー装置３０の取り付けが完了する。前述した円板部材２５ａの嵌め込みからパネル２８の装着に至る一連の作業も天井パネル２０の下側から行うことができるので、作業性は良好である。同様に、スプリンクラー装置３０を取り付けた後のメンテナンス作業も、前述と逆の手順を採ることによって実行できるので、従来の固定装置よりも容易である。
【００３３】
また、図１に示すように、固定部材１０の貫通孔１３の周縁部には、スプリンクラー装置固定面１４の上面より凹んだ凹縁部１４ｂが形成されているため、図２に示す固定構造４０を形成したとき、スプリンクラー装置３０のスプリンクラー配管３０ｐと固定部材１０のスプリンクラー装置固定面１４との境界部に下方へ凹んだ周溝１４ｔが形成される。従って、スプリンクラー装置３０に発生する結露はスプリンクラー配管３０ｐ外周を伝わって周溝１４ｔに流入することとなり、結露水の落下を防止することができる。
【００３４】
次に、図３，図１２及び図１３に基づいて、天井パネル２０に対するスプリンクラー装置３０の取り付け高さの調整機構について説明する。図３に示すように、固定部材１０の高さ調整手段１５ａには二対の保持部１ａ，２ａと保持部３ａ，４ａとにより、それぞれ上位保持領域Ｈ１と下位保持領域Ｈ２とが形成されている。同様に、高さ調整手段１５ｂにも二対の保持部１ｂ，２ｂと保持部３ｂ，４ｂとにより、それぞれ上位保持領域Ｈ１と下位保持領域Ｈ２とが形成されている。高さ調整手段１５ａにおける上位保持領域Ｈ１及び下位保持領域Ｈ２と、高さ調整手段１５ｂにおける上位保持領域Ｈ１及び下位保持領域Ｈ２と、はそれぞれスプリンクラー装置固定面１４から同じ高さにある。
【００３５】
従って、図１２に示すように、天井パネル保持部３１の高さ３１ｈが比較的高い場合は図３に示す高さ調整手段１５ａ，１５ｂにおける上位保持領域Ｈ１にそれぞれレール２３，２４を挿通させることにより、スプリンクラー装置３０を天井パネル２０から一定の高さに取り付けることができる。
【００３６】
一方、図１３に示すように、天井パネル保持部３２の高さ３２ｈが前記高さ３１ｈより低い場合は図３に示す高さ調整手段１５ａ，１５ｂにおける下位保持領域Ｈ２にそれぞれレール２３，２４を挿通させることにより、スプリンクラー装置３０を天井パネル２０から一定の高さに取り付けることができる。
【００３７】
このように、スプリンクラー装置３０の天井パネル２０に対する高さ位置を決める貫通孔１４の位置を高さ調整手段１５ａ，１５ｂで調整した状態で、一対のレール２３，２４に対して固定部材１０を固定することができるので、施工現場により、天井パネル保持部３１，３２の高さ３１ｈ，３２ｈに違いに起因する一対のレール２３，２４の高さ位置が異なる状況があっても、高さ調整手段１５ａ，１５ｂにより、天井パネル２０に対するスプリンクラー装置３０の高さ位置を常に一定に設定することができる。
【００３８】
また、固定部材１０が、高さ調整手段１５ａ（１５ｂ）にプリンクラー装置固定面１４に対する高さが異なる二対の保持部１ａ，２ａと３ａ，４ａ（保持部１ｂ，２ｂと３ｂ，４ｂ）を備えたことにより、スプリンクラー装置３０の固定位置を二種類の位置に選択的に設定することができるので、施工現場の状況に応じて、スプリンクラー装置３０の高さ調整を的確に行うことができる。
【００３９】
なお、天井パネル保持部が低い現場では、天井パネル保持部に一対のレール２３，２４を固定する際に、天井パネル保持部とレール２３，２４との間に所定の部材を介在させて一対のレール２３，２４を高く固定することによって対応可能である一方、天井パネル保持部が高い現場では、天井パネル保持部の一部を切り欠いて低い部分を形成するなどの面倒な現場対応策が採られていたが、前述した構成とすれば、このような現場対応策が一切不要となる。
【産業上の利用可能性】
【００４０】
本発明の固定部材及び固定構造は、火災予防のためのスプリンクラー装置を各種建築物の天井パネルに取り付ける工事現場において広く利用することができる。
【符号の説明】
【００４１】
１０  固定部材
１１  第一側面
１２  第二側面
１１ａ，１２ａ  上縁部
１４  スプリンクラー装置固定面
１４ａ  上面
１４ｂ  凹縁部
１４ｔ  周溝
２０  天井パネル
２１，２２，３１，３２  天井パネル保持材
２３，２４  レール
２５  開口部
２５ａ  円板部材
２６  固定具
２７  雄ネジ
２８  パネル
３０  スプリンクラー装置
３０ｈ  スプリンクラーヘッド
３０ｐ  スプリンクラー配管
４０  固定構造
【図１】
2011067548.tif 000003
【図２】
2011067548.tif 000004
【図３】
2011067548.tif 000005
【図４】
2011067548.tif 000006
【図５】
2011067548.tif 000007
【図６】
2011067548.tif 000008
【図７】
2011067548.tif 000009
【図８】
2011067548.tif 000010
【図９】
2011067548.tif 000011
【図１０】
2011067548.tif 000012
【図１１】
2011067548.tif 000013
【図１２】
2011067548.tif 000014
【図１３】
2011067548.tif 000015